【手続補正書】
【提出日】平成20年5月19日(2008.5.19)
【手続補正１】
【補正対象書類名】明細書
【補正対象項目名】００２３
【補正方法】変更
【補正の内容】
【００２３】
まず、この発明で用いるシアニン色素について説明すると、Ｒ１乃至Ｒ７における脂肪族炭化水素基としては、直鎖状又は分岐を有する炭素数２０までのもの、通常、炭素数１２までの、例えば、メチル基、エチル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテニル基、ヘキシル基、イソヘキシル基、５−メチルヘキシル基、ヘプチル基、オクチル基、ノニル基、デシル基、ウンデシル基、ドデシル基などから選択される。このうち、一般式１におけるＲ１及びＲ２、一般式３におけるＲ４並びに一般式４におけるＲ５乃至Ｒ７としては、その鎖長が炭素数３乃至１２の範囲にあるものが好ましく、とりわけ、細胞への親和性の点から、炭素数６乃至９の範囲にあるものが特に好ましい。また、一般式２におけるＲ３としては、鎖長が炭素数５まで、とりわけ、炭素数３までのものが好ましい。
【手続補正２】
【補正対象書類名】明細書
【補正対象項目名】００４８
【補正方法】変更
【補正の内容】
【００４８】
この発明でいう美白剤とは、生体において美白効果をもたらし得る、斯かるシアニン色素の１又は複数の有効量と、必要に応じて、香粧品の分野において汎用される、例えば、水、アセトン、トルエン、エチルメチルケトン、イソブチルメチルケトン、シクロヘキサン、ブタノール、酢酸イソアミル、酢酸エチル、酢酸ブチルなどの溶剤、アボカド油、アーモンド油、オリーブ油、カカオ油、ゴマ油、サフラワー油、大豆油、ツバキ油、バーシック油、ヒマシ油、ミンク油、綿実油、モクロウ、ヤシ油、卵黄油などの油脂類、マッコウ鯨油、槌鯨油、ミツロウ、鯨ロウ、ラノリン、ホホバ油、カルナウバロウ、キャンデリラロウ、モンタンロウなどのロウ類、流動パラフィン、ワセリン、パラフィン、オゾケライト、セレシン、マイクロクリスタリンワックス、ポリエチレン末、スクワレン、スクワラン、プリスタンなど炭化水素類、ラウリン酸、ミリスチン酸、パルミチン酸、ステアリン酸、ベヘン酸、オレイン酸、１２−ヒドロキシステアリン酸、トール油、ラノリン脂肪酸などの脂肪酸類、エタノール、イソプロパノール、ラウリルアルコール、セタノール、ステアリルアルコール、イソステアリルアルコール、オレイルアルコール、ラノリンアルコール、コレステロール、フィトステロール、２−ヘキシルデカノール、２−オクタデカノール、酸化エチレン、エチレングリコール、ジエチレングリコール、トリエチレングリコール、エチレングリコールモノエチルエーテル、エチレングリコールモノブチルエーテル、ジエチレングリコールモノメチルエーテル、ポリエチレングリコール、酸化プロピレン、プロピレングリコール、ポリプロピレングリコール、グリセリン、バチルアルコール、ペンタエリトリトール、ソルビトール、マルチトール、葡萄糖、蔗糖、マルトース、トレハロースなどのアルコール類及び糖類、ミリスチン酸イソプロピル、ミリスチン酸オクチルドデシル、ミリスチン酸ミリスチル、パルミチン酸イソプロピル、ステアリン酸ブチル、ラウリン酸ヘキシル、オレイン酸オレイル、オレイン酸デシル、ジメチルオクタン酸ヘキシルデシル、乳酸セチル、乳酸ミリスチル、フタル酸ジエチル、フタル酸ジブチル、酢酸ラノリン、モノステアリン酸エチレングリコール、モノステアリン酸プロピレングリコール、ジオレイン酸プロピレングリコールなどのエステル類、アラビアガム、ベンゾインガム、ダンマルガム、グアヤク脂、アイルランド苔、カラヤガム、トラガカントガム、キャロブガム、クインスシード、寒天、カゼイン、デキストリン、ゼラチン、ペクチン、ペクチン酸ナトリウム、澱粉、デキストラン、プルラン、アルギン酸ナトリウム、メチルセルロース、エチルセルロース、カルボキシメチルセルロースナトリウム、ヒドロキシエチルセルロース、ヒドロキシプロピルセルロース、ニトロセルロース、結晶セルロース、ポリビニルアルコール、ポリビニルメチルエーテル、ポリビニルピロリドン、ポリアクリル酸ナトリウム、カルボキシビニルポリマー、ポリエチレンイミンなどのポリマー類、脂肪酸石鹸、カルボン酸系、カルボン酸塩系、スルホン酸系、スルホン酸塩系、硫酸エステル塩系、燐酸エステル系、燐酸エステル塩系、アミン塩系、四級アンモニウム塩系、硫酸エステル系、ベタイン系、エーテル系、エーテルエステル系、エステル系、ブロックポリマー系、含窒素系のカチオン、アニオン、両性又は非イオン性界面活性剤、トコフェロール、セザモール、セザモリン、ゴシボール、燐脂質、ジブチルヒドロキシトルエン、ブチルヒドロキシアニソール、没食子酸プロピルなどの酸化防止剤、ｐ−アミノ安息香酸エチル、サリチル酸フェニル、シノキサート、グアイアズレン、２−（２−ヒドロキシ−５−メチルフェニル）ベンゾトリアゾール、オキシベンゾンなどの紫外線吸収剤、乳酸、酒石酸、コハク酸、クエン酸、硼酸、アラントイン、アラントインヒドロキシアルミニウム、アラントインジヒドロキシアルミニウム、塩化亜鉛、カラミン、硫酸亜鉛、ｐ−フェノールスルホン酸亜鉛、硫酸アルミニウムカリウム、レソルシン、レソルシノール、塩化第二鉄などの皮膚収斂剤、エデト酸二ナトリウム、クエン酸ナトリウム、ポリ燐酸ナトリウム、メタ燐酸ナトリウムなどの金属イオン封鎖剤、コンドロイチン硫酸ナトリウム、１，３−ブチレングリコール、乳酸ナトリウム、マルチトール、キシリトールなどの保湿剤、さらには、香粧品に汎用されるアミノ酸類、ビタミン類、ホルモン類、香料、色材、防腐剤、防黴剤、殺菌剤、抗生物質、発汗防止剤、消臭剤、皮膚漂白剤、有機塩基、エアゾール噴射剤、有機薬品、無機薬品、防虫剤、瘡傷治癒剤、抗ヒスタミン剤などの１又は複数を含んでなる組成物全般を意味する。
【手続補正３】
【補正対象書類名】明細書
【補正対象項目名】００４９
【補正方法】変更
【補正の内容】
【００４９】
この発明の美白剤は、シアニン色素とともに、美白能を有する他の成分、例えば、アルブチン、Ｌ−アスコルビン酸、グルタチオン、コウジ酸、システイン又はそれらの誘導体、さらには、胎盤エキス、甘草エキス、キューカンバーエキス、桑白皮などの１又は複数を配合することを妨げない。このうち、２−Ｏ−α−Ｄ−モノグルコシル−Ｌ−アスコルビン酸をはじめとするα−グルコシル−Ｌ−アスコルビン酸は、自体美白能を有するうえに、安全にして安定であり、しかも、皮膚外用剤におけるシアニン色素との相溶性に優れ、シアニン色素を安定化する性質が顕著であることから、特に好ましい。この発明によるシアニン色素と斯かる成分とを併用するときには、香粧品などの皮膚外用剤において、所期の美白効果を得るために必要とする後者の配合量を大幅に低減することができる実益がある。
【手続補正４】
【補正対象書類名】明細書
【補正対象項目名】００５４
【補正方法】変更
【補正の内容】
【００５４】
【実験例】
〈色素細胞におけるメラニン生成抑制作用〉
１０（ｖ／ｖ）％仔ウシ血清を補足し、温度３７℃に保温したイーグル基本培地（ｐＨ６．８）へマウスメラノーマ細胞Ｂ１６株（ＡＴＣＣ
ＣＲＬ６３２２）を約５×１０６個／７５ｃｍ２の割合で接種し、同じ温度で２４時間培養した後、培地をグルコサミン０．１（ｗ／ｖ）％を添加した以外は上記と同様の基本培地と交換し、同じ温度でさらに３日間培養することによってメラノーマ細胞におけるメラニン生成を一旦停止させた。
【手続補正５】
【補正対象書類名】明細書
【補正対象項目名】００６６
【補正方法】変更
【補正の内容】
【００６６】
【実施例４】
〈ファンデーション〉
次に示すファンデーションの基本処方に対して、常法にしたがって、化学式２、化学式５、化学式１０又は化学式１６で表されるシアニン色素のいずれかを最終濃度が重量当り０．１ｐｐｍになるように配合することによって油性軟膏状美白剤を調製した。
流動パラフィン                                ２４．５重量部
パルミチン酸イソプロピル                      １５．０重量部
ラノリルアルコール                              ２．０重量部
酢酸ラノリン                                    ３．０重量部
マイクロクリスタリンワックス                    ７．０重量部
オゾケライト                                    ８．０重量部
キャンデリラロウ                                ０．５重量部
酸化チタン                                    １５．０重量部
カオリン                                      １５．０重量部
タルク                                          ６．０重量部
色材                                            ４．０重量部
防腐剤                                                適量
酸化防止剤                                            適量
香料                                                  適量